(57)【要約】【課題】  携帯無線通信装置とハンズフリー装置間の近距離通信リンクが確立されていない時に着信し、いったん携帯無線通信装置において応答保留状態に設定された呼を、近距離通信リンクの確立後にスムーズにハンズフリー通話へ移管する。【解決手段】  携帯無線通信装置（ＡＧ）３のＡＧ制御部３４は、ＡＧ３が移動通信網１と接続中であって、ハンズフリー装置（ＨＦ）４が起動される前に着信した呼に応答保留中であるというステータス情報を保持し、ＨＦ４の起動後に設定した近距離通信リンクのデータチャネル５を介してＨＦ制御部４４に送る。ＨＦ制御部４４は、自動的に又はＨＦ操作部４５からの操作入力に基づいて、ＡＧ制御部３４に対して応答保留解除の指示及び音声チャネルの設定要求を送信し、ＡＧ制御部３４はこれらを受けて応答保留を解除すると共に音声チャネル６を設定する。【選択図】  図１
2005086254.tif 000002
【特許請求の範囲】
【請求項１】
移動通信網に接続可能な携帯無線通信装置との間の近距離通信手段を備えたハンズフリー装置から前記携帯無線通信装置に対し近距離通信要求を送信して、前記携帯無線通信装置との間で前記近距離通信手段による双方向通信を可能にし、
前記ハンズフリー装置から前記携帯無線通信装置に対して前記移動通信網との間の接続状態の通知を要求し、
前記通知要求を受信する前に前記移動通信網から着呼があって応答保留中である場合に、前記携帯無線通信装置から前記ハンズフリー装置に対して前記移動通信網と接続中であること及び応答保留中であることを通知し、
前記通知を受信したハンズフリー装置から前記携帯無線通信装置に対して応答保留の解除を要求すると共に、前記近距離通信手段による音声チャネルの設定を要求し、
前記応答保留の解除要求を受信した前記携帯無線通信装置は前記応答保留を解除すると共に、前記ハンズフリー装置との間に前記近距離通信手段による音声チャネルを設定し、前記ハンズフリー装置を用いて音声通話を行えるようにする
ことを特徴とするハンズフリー通話方法。
【請求項２】
前記ハンズフリー装置から応答保留の通知要求を受けた時に、前記携帯無線通信装置から前記ハンズフリー装置に対して前記応答保留中であることを通知することを特徴とする請求項１に記載のハンズフリー通話方法。
【請求項３】
前記携帯無線通信装置から前記ハンズフリー装置に対して前記接続中であることの通知の後、自動的に前記応答保留中であることを通知することを特徴とする請求項１に記載のハンズフリー通話方法。
【請求項４】
移動通信網に接続可能な携帯無線通信装置との間の近距離通信手段を備えたハンズフリー装置から前記携帯無線通信装置に対し近距離通信要求を送信して、前記携帯無線通信装置との間で前記近距離通信手段による双方向通信を可能にし、
前記ハンズフリー装置から前記携帯無線通信装置に対して前記移動通信網との間の接続状態の通知を要求し、
前記通知要求を受信する前に前記移動通信網から着呼があって応答保留中である場合に、前記携帯無線通信装置から前記ハンズフリー装置に対して前記移動通信局と接続中であることを通知し、
前記携帯無線通信装置自身が前記応答保留を解除して応答保留中でないことを前記ハンズフリー装置に対して通知し、
前記通知後、前記携帯無線通信装置は前記ハンズフリー装置との間に前記近距離通信手段による音声チャネルを設定し、前記ハンズフリー装置を用いて音声通話を行えるようにする
ことを特徴とするハンズフリー通話方法。
【請求項５】
前記携帯無線通信装置は前記ハンズフリー装置から設定要求を受けて前記音声チャネルの設定を行うことを特徴とする請求項４に記載のハンズフリー通話方法。
【請求項６】
前記携帯無線通信装置は前記音声チャネルの設定を自動的に行うことを特徴とする請求項４に記載のハンズフリー通話方法。
【請求項７】
前記携帯無線通信装置は前記音声通話を終了した後の前記移動通信網からの着呼に対して、前記音声チャネルの設定を維持するか否かを選択できるようにしたことを特徴とする請求項１又は請求項４に記載のハンズフリー通話方法。
【請求項８】
ハンズフリー装置との間の双方向通信を可能にする近距離通信手段と、
前記ハンズフリー装置から近距離通信要求を受信する前に移動通信網から着呼があって応答保留中である場合に、前記近距離通信手段を介して前記ハンズフリー装置からの通知要求に対して接続中であること及び応答保留中であることを通知する通知手段と、
前記ハンズフリー装置から要求を受けて応答保留を解除する手段と、
前記応答保留の解除後に前記近距離通信手段の音声チャネルを設定し、前記ハンズフリー装置を用いて音声通話を行えるようにする通話切換え手段と
を備えたことを特徴とする携帯無線通信装置。
【請求項９】
前記通知手段から前記ハンズフリー装置に対して前記接続中であることの通知の後、前記ハンズフリー装置から再び通知要求を受けた時に、前記応答保留中であることを通知することを特徴とする請求項８に記載の携帯無線通信装置。
【請求項１０】
前記通知手段から前記ハンズフリー装置に対して前記接続中であることの通知の後、自動的に前記応答保留中であることを通知することを特徴とする請求項８に記載の携帯無線通信装置。
【請求項１１】
ハンズフリー装置との間の双方向通信を可能にする近距離通信手段と、
前記ハンズフリー装置から近距離接続要求を受信する前に移動通信網から着呼があって応答保留中である場合に、前記近距離通信手段を介して前記ハンズフリー装置からの通知要求に対して接続中であることを通知する手段と、
前記移動通信網との間の応答保留を解除する手段と、
前記応答保留の解除後に、前記近距離通信手段を介して前記ハンズフリー装置に対して応答保留中でないことを通知する手段と、
前記応答保留中でないことの通知後に前記近距離通信手段の音声チャネルを設定し、前記ハンズフリー装置を用いて音声通話を行えるようにする通話切換え手段と
を備えたことを特徴とする携帯無線通信装置。
【請求項１２】
前記通話切換え手段は前記ハンズフリー装置から設定要求を受けて前記音声チャネルの設定を行うことを特徴とする請求項１１に記載の携帯無線通信装置。
【請求項１３】
前記通話切換え手段は前記音声チャネルの設定を自動的に行うことを特徴とする請求項１１に記載の携帯無線通信装置。
【請求項１４】
前記通話切換え手段は前記音声通話を終了した後の前記移動通信網からの着呼に対して、前記音声チャネルの設定を維持するか否かを選択できるようにしたことを特徴とする請求項８又は請求項１１に記載の携帯無線通信装置。
【請求項１５】
ハンズフリー装置との間の双方向通信を可能にする近距離通信手段と、
前記ハンズフリー装置から近距離通信要求を受信する前に移動通信網から着呼があって応答保留中である場合に、前記近距離通信手段を介して前記ハンズフリー装置からの通知要求に対して接続中であること及び応答保留中であることを通知する通知手段と、
前記ハンズフリー装置から要求を受けて応答保留を解除する手段と、
前記応答保留の解除後に前記近距離通信手段の音声チャネルを設定し、前記ハンズフリー装置を用いて音声通話を行えるようにする通話切換え手段とを備えた携帯無線通信装置と、
前記携帯無線通信装置に対して前記近距離通信要求および前記解除要求を送信し、音声の入出力を行う前記ハンズフリー装置と
から構成されたことを特徴とするハンズフリーシステム。
【請求項１６】
ハンズフリー装置との間の双方向通信を可能にする近距離通信手段と、
前記ハンズフリー装置から近距離接続要求を受信する前に移動通信網から着呼があって応答保留中である場合に、前記近距離通信手段を介して前記ハンズフリー装置からの通知要求に対して接続中であることを通知する手段と、
前記移動通信網との間の応答保留を解除する手段と、
前記応答保留の解除後に、前記近距離通信手段を介して前記ハンズフリー装置に対して応答保留中でないことを通知する手段と、
前記応答保留中でないことの通知後に前記近距離通信手段の音声チャネルを設定し、前記ハンズフリー装置を用いて音声通話を行えるようにする通話切換え手段とを備えた携帯無線通信装置と、
前記携帯無線通信装置に対して前記近距離通信要求を送信し、音声の入出力を行う前記ハンズフリー装置と
から構成されたことを特徴とするハンズフリーシステム。
【発明の詳細な説明】
【技術分野】
【０００１】
本発明は、移動通信網から着呼があった後にハンズフリー装置を起動した場合でも、スムーズに通話を移管することができるハンズフリー通話方法、携帯無線通信装置及びハンズフリーシステムに関する。
【背景技術】
【０００２】
自動車内で携帯無線通信装置を介した通話をハンズフリーで行えるようにするための通信手順が、ハンズフリープロファイルとして定義されている。それによれば、携帯無線通信装置が車載のハンズフリー装置と近距離通信手段（例えばブルートゥース等の無線リンク）により接続されて構成されたハンズフリーシステムにおいて、移動通信網から着呼があったときは、ハンズフリー装置から応答を指示してハンズフリー通話を行うことができる。
【０００３】
また、携帯無線通信装置が車載装置と一定の距離以内に近づいたとき自動的に無線リンクを確立し、その後に移動通信網から着呼があったときに、自動的にハンズフリー通話に移行するという発明がなされている（例えば、特許文献１参照。）。
【０００４】
しかし、これらの従来技術によっても、例えば自動車のエンジンをかける前であって携帯無線通信装置と車載のハンズフリー装置間の近距離通信リンクが確立されていない時に着信し、いったん携帯無線通信装置において応答保留状態に設定された呼を、近距離通信リンクの確立後にスムーズにハンズフリー通話へ移管することができないという問題があった。
【特許文献１】特開２００１−２１８２６２号公報  （第２ページ、図３）
【発明の開示】
【発明が解決しようとする課題】
【０００５】
従来のハンズフリーシステムでは、携帯無線通信装置と車載のハンズフリー装置間の近距離通信が確立される前に着信し応答保留された呼を、近距離通信リンクの確立後にスムーズにハンズフリー通話へ移管することができないという問題があった。
【０００６】
本発明は上記問題を解決するためになされたもので、携帯無線通信装置でいったん応答保留された呼を、ハンズフリーシステムの近距離通信リンクの確立後、スムーズにハンズフリー通話に移管することのできるハンズフリー通話方法、携帯無線通信装置及びハンズフリーシステムを提供することを目的とする。
【課題を解決するための手段】
【０００７】
上記目的を達成するために、本発明のハンズフリー通話方法は、移動通信網に接続可能な携帯無線通信装置との間の近距離通信手段を備えたハンズフリー装置から前記携帯無線通信装置に対し近距離通信要求を送信して、前記携帯無線通信装置との間で前記近距離通信手段による双方向通信を可能にし、前記ハンズフリー装置から前記携帯無線通信装置に対して前記移動通信網との間の接続状態の通知を要求し、前記通知要求を受信する前に前記移動通信網から着呼があって応答保留中である場合に、前記携帯無線通信装置から前記ハンズフリー装置に対して前記移動通信網と接続中であること及び応答保留中であることを通知し、前記通知を受信したハンズフリー装置から前記携帯無線通信装置に対して応答保留の解除を要求すると共に、前記近距離通信手段による音声チャネルの設定を要求し、前記応答保留の解除要求を受信した前記携帯無線通信装置は前記応答保留を解除すると共に、前記ハンズフリー装置との間に前記近距離通信手段による音声チャネルを設定し、前記ハンズフリー装置を用いて音声通話を行えるようにすることを特徴とする。
【発明の効果】
【０００８】
本発明によれば、携帯無線通信装置と移動通信網との接続状態を表すステータス情報を、ハンズフリー装置も共有することができる。したがって、ハンズフリー装置から携帯無線通信装置に対しそのステータスに合わせて適切に指示することにより、応答保留中の呼をハンズフリー通話にスムーズに移管させることができる。
【発明を実施するための最良の形態】
【０００９】
以下、図面を参照して本発明の実施例を説明する。
【実施例１】
【００１０】
以下、図１を参照して、本発明の実施例１を説明する。図１（ａ）は、本発明の実施例１に係るハンズフリーシステムの構成を表した図である。図中、移動通信網１は、公衆サービスを提供する移動通信網である。基地局２は、移動通信網１に属する多数の基地局の１つであり、ＢＳ（Ｂａｓｅ  Ｓｔａｔｉｏｎ）と略称される。携帯無線通信装置３は、ハンズフリーシステムを構成する携帯無線電話機等の通信装置であり、ＡＧ（Ａｕｄｉｏ  Ｇａｔｅｗａｙ）と略称される。また、ハンズフリー装置４は、ハンズフリーシステムを構成し音声の入出力に用いられるハンズフリー装置で、ＨＦ（Ｈａｎｄｓ  Ｆｒｅｅ）と略称される。なお、図１（ａ）は後で説明する動作を開始する前の初期状態の接続を表し、図１（ｂ）は動作のある段階において接続の一部が変更された場合を表す図である。
【００１１】
次に、ＡＧ３の内部構成を説明する。ＡＧ３は、アンテナ３１、無線部３２及び変復調部３３を介して、ＢＳ２との間の無線通信を行う。ＡＧ制御部３４は、着呼に対する応答保留及びその解除や、ＨＦ４への通話移管等を制御する。また、ＡＧ操作部３５は、ＡＧ３の操作入力に用いられる。
【００１２】
ＡＧスピーカ３６及びＡＧマイクロホン３７は、ＡＧ３が通話に用いられる場合のユーザインターフェースとして機能する。変復調部３３とＡＧスピーカ３６及びＡＧマイクロホン３７との間に設けられた切換え部３８は、ＡＧ３又はＨＦ４のいずれが通話に用いられるかによって、音声信号の流れを切り換える。切換え部３８は、ＡＧ制御部３４によってその切換えを制御される。ＡＧ近距離通信部３９は、ＨＦ４との間で近距離通信手段を構成する部分であって、変復調等の近距離通信に必要な機能を持つ。近距離通信手段が無線リンクである場合は、さらに無線部やアンテナに相当する機能も持つ。
【００１３】
なお、音声の符号化及び復号化機能は、図１において切換え部３８の左側に設けてもよく、右側に設けてもよい。左側に設けた場合は、変復調部３３に含まれると考える。また、右側に設けた場合は、ＡＧスピーカ３６及びＡＧマイクロホン３７に含まれると考える。この点は、ＡＧ近距離通信部３９の適切な構成と整合させて適宜設計すべきものであるから、図１では図が複雑になるのを避けるため省略している。
【００１４】
続いて、ＨＦ４の内部構成を説明する。ＨＦ近距離通信部４１は、ＡＧ３のＡＧ近距離通信部３９に対向して近距離通信手段を構成する部分である。ＨＦ近距離通信部４１は、ＡＧ近距離通信部３９と同様の機能を持つ。ＡＧ近距離通信部３９とＨＦ近距離通信部４１の間に近距離通信リンクが確立された後は、データ又は制御信号用のチャネルと、音声用のチャネルを設定することができる。これらは、データチャネル５及び音声チャネル６として図１に表されている。なお、図１においては音声チャネル６が未設定であることを示すため、破線で表示している。
【００１５】
ＨＦ４に通話が移管された後は、ＨＦスピーカ４２及びＨＦマイクロホン４３が、通話用のユーザインターフェースとして機能する。ＨＦ制御部４４は、ＨＦ４への通話移管等を制御する。また、ＨＦ操作部４５は、ＨＦ４の操作入力に用いられる。
【００１６】
次に図２を参照して、本発明の実施例１の動作について説明する。図２は、本発明の実施例１に係るハンズフリーシステムの動作を説明するシーケンス図である。図中のＢＳ２、ＡＧ３及びＨＦ４のライン間を結ぶ矢印は、ＢＳ２、ＡＧ３及びＨＦ４の間の通信イベントを表す。ＢＳ２、ＡＧ３又はＨＦ４のライン上に表されたブロックは、ＢＳ２、ＡＧ３又はＨＦ４それぞれの動作イベントを表す。また、図の上方から下方に向かって時間が経過するものとする。
【００１７】
初めにＡＧ３が通常の非ハンズフリー状態で使用されている時に、移動通信網１からＢＳ２を経由してＡＧ３に呼が着信する（イベントＥ１）。この着呼に対して、ＡＧ操作部３５における操作により、ＡＧ制御部３４は応答を保留する（イベントＥ２）。すなわち、ＡＧ３はＢＳ２を介して移動通信網１に接続中であり、かつ、応答保留中であることになる。ＡＧ制御部３４は、この「接続中である」及び「応答保留中である」というステータス情報を保持する。
【００１８】
その後でＨＦ４が起動される（イベントＥ３）。この起動は、例えばＨＦ操作部４５における起動操作によって行われる。この他、ＨＦ４が車載のハンズフリー装置である場合に自動車のエンジンの起動をトリガにする等の方法であっても差し支えない。ＨＦ制御部４４は、ＨＦ操作部４５からの操作入力を受けてＨＦ近距離通信部４１を制御し、ＡＧ近距離通信部３９に対して近距離通信要求を送出させる（イベントＥ４）。ＡＧ近距離通信部３９がこの要求を受けて近距離通信リンクが確立され、データチャネル５が設定される（イベントＥ５）。この近距離通信リンク確立の手順は、ハンズフリープロファイル又は使用される近距離通信手段（例えばブルートゥースであるが、これに限らない。）のプロトコルのような公知技術によるものとする。その結果、ＡＧ３とＨＦ４との間で双方向通信が可能になる。
【００１９】
続いてＨＦ制御部４４は、ＡＧ３がハンズフリー通話へ移行する準備ができているかどうかを知るために、ＡＧ３と移動通信網との間の接続状態（未接続、着信中、発信中又は接続中）をＡＧ３に対して問い合わせる。これは接続状態通知要求として、ＨＦ近距離通信部４１、データチャネル５及びＡＧ近距離通信部３９を経由して、ＡＧ制御部３４に送られる（イベントＥ６）。
【００２０】
ＡＧ制御部３４は、接続状態通知要求を受けて、保持している「接続中である」というステータス情報を、ＡＧ近距離通信部３９、データチャネル５及びＨＦ近距離通信部４１を経由して、ＨＦ制御部４４に送る（イベントＥ７）。
【００２１】
ＨＦ制御部４４は、「接続中である」というステータス情報を受けて、ＡＧ３が応答保留中であるかどうかをＡＧ３に対して問い合わせる。これは応答保留状態通知要求として、ＨＦ近距離通信部４１、データチャネル５及びＡＧ近距離通信部３９を経由して、ＡＧ制御部３４に送られる（イベントＥ８）。ＡＧ制御部３４は、応答保留状態通知要求を受けて、保持している「応答保留中である」というステータス情報を、ＡＧ近距離通信部３９、データチャネル５及びＨＦ近距離通信部４１を経由して、ＨＦ制御部４４に送る（イベントＥ９）。
【００２２】
ＨＦ制御部４４は、「応答保留中である」というステータス情報を受けて、その旨をＨＦ操作部４５に含まれる表示手段（例えば液晶表示画面又は発光ダイオード）により表示する。これに対して、ＨＦ操作部４５に含まれる入力手段（例えば操作キー）により、応答保留解除の操作が行われる（イベントＥ１０）。ＨＦ制御部４４は、この操作入力に基づいて応答保留解除指示を作成する。また、ＨＦ制御部４４は、近距離通信手段における音声チャネルの設定要求を作成して、応答保留解除指示と共に、ＨＦ近距離通信部４１、データチャネル５及びＡＧ近距離通信部３９を経由して、ＡＧ制御部３４に送る（イベントＥ１１）。
【００２３】
ＡＧ制御部３４は、応答保留解除指示を受けて応答保留を解除する（イベントＥ１２）。また、ＡＧ制御部３４は音声チャネル設定要求を受けて、ＡＧ近距離通信部３９を制御すると共に、データチャネル５を介してＨＦ近距離通信部４１を制御することにより、音声チャネル６を設定する（イベントＥ１３）。音声チャネル６の設定方法は、使用される近距離通信手段のプロトコルによるものとする。
【００２４】
ＡＧ制御部３４は、同時に切換え部３８の接続を切り換える制御を行い、図１（ｂ）に示した接続の状態に移行させる。これにより、ＡＧスピーカ３６及びＡＧマイクロホン３７の変復調部３３との接続が切り離され、代わってＨＦスピーカ４２及びＨＦマイクロホン４３が、ＡＧ近距離通信部３９、音声チャネル６及びＨＦ近距離通信部４１を介して変復調部３３に接続される。また、設定された音声チャネル６は、実線で表される。これ以降、ＨＦスピーカ４２及びＨＦマイクロホン４３を用いて、移動通信網１、ＢＳ２及びＡＧ３を中継する音声通話が可能になる（イベントＥ１４）。以上の音声通話の移管において、イベントＥ３以降のＡＧ３の操作は不要である。
【００２５】
なお、ＨＦ制御部４４が「応答保留中である」というステータス情報を受けた時に、イベントＥ１０を省略して自動的に応答保留解除指示及び音声チャネル設定要求を作成することもできる。こうすれば、イベントＥ３以降のＨＦ４の操作も不要になる。
【００２６】
また、以上のＨＦ４が起動される前に着信し応答保留された呼が処理されて当該通話が終了した後、音声チャネル６の設定を維持することも、いったん開放することも可能である。維持した場合には、次に着呼があった時も直ちにハンズフリー通話が開始される。開放した場合には、着呼の都度応答又はハンズフリー通話の要否が判断される。ＡＧ３の設定においてこのような選択を可能にすることにより、状況に応じてハンズフリー機能を使い分けることができる。
【００２７】
本発明の実施例１によれば、ＡＧ３が応答保留中であることをＨＦ４が認識してこれを解除させる機能を備えたことにより、ＨＦ４の起動前に着信し応答保留された呼を、機器の最小限の操作のみでスムーズにハンズフリー通話に移管することができる。
【実施例２】
【００２８】
以下、図３を参照して、本発明の実施例２の動作を説明する。図３は、本発明の実施例２に係るハンズフリーシステムの動作を説明するシーケンス図である。なお、実施例２のハンズフリーシステムの構成は、実施例１と同じであるから、図１（ａ）、（ｂ）も適宜参照する。
【００２９】
実施例２のイベントＥ１からイベントＥ７までの動作は、実施例１と同じであるから、その説明は省略する。ＡＧ制御部３４は、イベントＥ７に続いて、保持している「応答保留中である」というステータス情報を、ＡＧ近距離通信部３９、データチャネル５及びＨＦ近距離通信部４１を経由して、ＨＦ制御部４４に送る（イベントＥ９）。すなわち、イベントＥ８が省略される点が、実施例１の場合と異なっている。
【００３０】
ＡＧ３と移動通信網との間の応答保留状態の情報をＨＦ４が共有するためには、実施例１のようにＨＦ４からＡＧ３に問い合わせるのが自然であるが、既に応答保留中にＨＦ４が起動されたという特定の条件下では、ＨＦ４からの問い合わせを待たずにステータス情報を送ることができる。イベントＥ９以降の動作は、実施例１と同じであるから、実施例１と同様の効果が得られる。なお、イベントＥ１０を省略できる点は、実施例１と共通である。また、実施例１と同様に、当該通話の終了後、音声チャネル６の設定を維持することも、いったん開放することも可能である。
【００３１】
本発明の実施例２によれば、ＨＦ４からＡＧ３への応答保留状態通知要求を省いても、実施例１と同様の効果を得ることができる。
【実施例３】
【００３２】
以下、図４を参照して、本発明の実施例３の動作を説明する。図４は、本発明の実施例３に係るハンズフリーシステムの動作を説明するシーケンス図である。なお、実施例３のハンズフリーシステムの構成は、実施例１と同じであるから、図１（ａ）、（ｂ）も適宜参照する。
【００３３】
実施例３のイベントＥ１からイベントＥ７までの動作は、実施例１と同じであるから、その説明は省略する。イベントＥ７に続いて、ＡＧ制御部３４は、実施例１の場合（図２）と異なり自律的に応答保留を解除する（イベントＥ８ａ）。これは、実施例１及び実施例２においてＨＦ４が応答保留解除の制御権を有するように構成したのと異なり、ＡＧ３が応答保留解除の制御権を有するように構成して、動作シーケンスをよりシンプルにするものである。
【００３４】
次にＡＧ制御部３４は、「応答保留中でない」というステータス情報を、ＡＧ近距離通信部３９、データチャネル５及びＨＦ近距離通信部４１を経由して、ＨＦ制御部４４に送る（イベントＥ９ａ）。ＨＦ制御部４４は、当該ステータス情報を受けてＨＦ操作部４５に含まれる表示手段により表示し、入力手段により音声チャネル設定の操作が行われる（イベントＥ１０ａ）。ＨＦ制御部４４は、当該操作入力に基づいて音声チャネルの設定要求を作成し、ＨＦ近距離通信部４１、データチャネル５及びＡＧ近距離通信部３９を経由して、ＡＧ制御部３４に送る（イベントＥ１１ａ）。なお、実施例１においてイベントＥ１０を省略することができたのと同様に、イベントＥ１０ａを省略して音声チャネル設定要求を自動的に作成し送出することもできる。
【００３５】
ＡＧ制御部３４は、音声チャネル設定要求を受けて、実施例１の場合と同様に音声チャネル６を設定し（イベントＥ１３）、ハンズフリーによる音声通話が可能になる（イベントＥ１４）。なお、実施例１及び実施例２と同様に、当該通話の終了後、音声チャネル６の設定を維持することも、いったん開放することも可能である。
【００３６】
本発明の実施例３によれば、ＨＦ４とＡＧ３の間の応答保留に係るステータス情報のやり取り及び応答保留解除指示を省いても、実施例１と同様の効果を得ることができる。
【実施例４】
【００３７】
以下、図５を参照して、本発明の実施例４の動作を説明する。図５は、本発明の実施例４に係るハンズフリーシステムの動作を説明するシーケンス図である。なお、実施例４のハンズフリーシステムの構成は、実施例１と同じであるから、図１（ａ）、（ｂ）も適宜参照する。
【００３８】
実施例４のイベントＥ１からイベントＥ９ａまでの動作は、実施例３と同じであるから、その説明は省略する。イベントＥ９ａに続いて、ＡＧ制御部３４は、実施例３の場合（図４）と異なり自律的に音声チャネル６の設定を行う（Ｅ１３ａ）。これは、実施例３においてＨＦ４が音声チャネル設定を指示するように構成したのと異なり、ＡＧ３だけの判断で音声チャネルを設定することができるように構成して、動作シーケンスをさらにシンプルにするものである。
【００３９】
音声チャネル６が設定された後は、実施例１乃至実施例３と同様に、ハンズフリーによる音声通話が可能になる（イベントＥ１４）。
【００４０】
なお、実施例１乃至実施例３と同様に、当該通話の終了後、音声チャネル６の設定を維持することも、いったん開放することも可能である。また、実施例３の場合と異なり、ＨＦ４がＡＧ３から「応答保留中でない」というステータス情報を受けなくても音声チャネル６が設定されるから、イベントＥ９ａを省略することも可能である。
【００４１】
本発明の実施例４によれば、ＨＦ４からＡＧ３への音声チャネル設定要求を省いても、実施例３と同様の効果を得ることができる。
【図面の簡単な説明】
【００４２】
【図１】本発明の実施例１に係るハンズフリーシステムの構成を表すブロック図。（ａ）は音声チャネル６の未設定の状態、（ｂ）は設定後の状態を表す。
【図２】本発明の実施例１に係るハンズフリーシステムの動作シーケンス図。
【図３】本発明の実施例２に係るハンズフリーシステムの動作シーケンス図。
【図４】本発明の実施例３に係るハンズフリーシステムの動作シーケンス図。
【図５】本発明の実施例４に係るハンズフリーシステムの動作シーケンス図。
【符号の説明】
【００４３】
１  移動通信網
２  基地局（ＢＳ）
３  携帯無線通信装置（ＡＧ）
４  ハンズフリー装置（ＨＦ）
５  データチャネル
６  音声チャネル
３１  アンテナ
３２  無線部
３３  変復調部
３４  ＡＧ制御部
３５  ＡＧ操作部
３６  ＡＧスピーカ
３７  ＡＧマイクロホン
３８  切換え部
３９  ＡＧ近距離通信部
４１  ＨＦ近距離通信部
４２  ＨＦスピーカ
４３  ＨＦマイクロホン
４４  ＨＦ制御部
４５  ＨＦ操作部
【図１】
2005086254.tif 000003
【図２】
2005086254.tif 000004
【図３】
2005086254.tif 000005
【図４】
2005086254.tif 000006
【図５】
2005086254.tif 000007